(57)【要約】【課題】  無線切断中であっても、無線装置に対する保守・監視を行うことができ、無線切断の場合に迅速な対応ができる無線システムを提供する。【解決手段】  冗長制御装置３１と中継装置２１とは、無線装置１１ａ，１１ｂに対してデータ通信用のインターフェース＃１，＃３と保守通信用のインターフェース＃２，＃４で接続され、無線装置１１が、無線状態を検出して中継装置２１へのデータ系接続の停止指示又は再開指示を送信し、中継装置２１が、データ系停止指示に従って、データ通信用のインターフェースを用いた通信を停止し、別の無線装置でデータ通信を行い、また、データ系再開指示に従って、停止していたデータ通信用のインターフェースを用いた通信を再開する無線システムである。【選択図】        図１
2010016777.tif 000002
【特許請求の範囲】
【請求項１】
異なる無線系で無線通信を行う複数の無線装置と、
ネットワークからのデータ通信用の信号又は保守通信用の信号を前記無線装置側に出力すると共に、前記無線装置側からの信号をネットワークに出力する冗長制御装置と、
前記冗長制御装置と前記複数の無線装置との間を中継する中継装置とを有し、
前記冗長制御装置と前記中継装置とは、前記各無線装置に対してデータ通信用のインターフェース及び保守通信用のインターフェースで接続され、
前記無線装置は、無線状態を検出して前記中継装置へのデータ系接続の停止指示又は再開指示を送信し、
前記中継装置は、データ系接続の停止指示を受信すると、前記データ通信用のインターフェースを用いた通信を停止し、別の無線装置でデータ通信を行い、
前記中継装置は、データ系接続の再開指示を受信すると、停止していたデータ通信用のインターフェースを用いた通信を再開することを特徴とする無線システム。
【発明の詳細な説明】
【技術分野】
【０００１】
本発明は、ネットワーク間を無線通信する無線システムに係り、特に、無線装置の故障による無線切断があった場合に迅速な対応ができる無線システムに関する。
【背景技術】
【０００２】
［従来の無線システム：図６］
従来の無線システムについて図６を参照しながら説明する。図６は、従来の無線システムの概略図である。
従来の無線システムは、図６に示すように、ネットワーク（１）４１に接続する冗長制御装置（１）３１と、無線装置（１Ａ）１１ａ′と、無線装置（１Ｂ）１１ｂ′とを備え、通信相手方として、ネットワーク（２）４２に接続する冗長制御装置（２）３２と、無線装置（２Ａ）１２ａ′と、無線装置（２Ｂ）１２ｂ′とを備えている。
【０００３】
［従来の無線システムの動作］
従来の無線システムでは、ネットワーク（１）４１とネットワーク（２）４２との間のデータ通信と、無線装置１１，１２の保守・監視のための保守通信とを、図６に示すように、無線Ａ，Ｂを経由して行っている。
【０００４】
ネットワーク（１）４１，（２）４２には、無線システムを用いてデータ通信を行う機器と、無線システムの保守・監視を目的とした保守通信を行う保守機器とが、常時或いは一時的に繋がっている。
【０００５】
データ通信、保守通信は、冗長制御装置（１）３１，（２）３２により、無線Ａ又は無線Ｂのいずれかを用いて行うかが制御されており、例えば、通常は無線Ａでデータ通信、保守通信を行い、無線装置等に問題が発生した場合に無線Ｂを用いてデータ通信、保守通信を行う制御が為されるものである。
【０００６】
各無線装置１１，１２の有線インターフェース（Ｉ／Ｆ）は一つしかなく、具体的には、無線装置（１Ａ）には１Ａ＃１、無線装置（１Ｂ）には１Ｂ＃１、無線装置（２Ａ）には２Ａ＃１、無線装置（２Ｂ）には２Ｂ＃１しかなく、このインターフェースでデータ通信と保守通信の双方を行うようになっていた。
尚、冗長制御装置（１）３１、（２）３２では、お互いの間で、無線Ａ，Ｂの何れを用いて通信を行うか情報の共有を行っている。
【０００７】
尚、関連する先行技術として、特開２００５−２１７５６５号公報（特許文献１）がある。
特許文献１には、無線伝送装置において、回線障害等により無線切断を検出すると、有線伝送路のデータリンクを強制的に切断し、対向局に通知し、対向局で有線伝送路のデータリンクを強制的に切断して、その後復旧処理を行うことが示されている。
【０００８】
【特許文献１】特開２００５−２１７５６５号公報
【発明の開示】
【発明が解決しようとする課題】
【０００９】
しかしながら、上記従来の無線システムでは、無線断線している間のデータ通信は無線経路変更により回復することができるが、無線断線している無線装置の有線インターフェースを動作停止するため、その無線装置への保守通信を行うことができず、ネットワークに接続する保守装置から無線装置の状態及び無線通信の状態を確認することができないことから、無線装置の故障による無線切断があった場合に迅速な障害解析及び障害対応ができないという問題点があった。
【００１０】
本発明は上記実情に鑑みて為されたもので、無線切断中であっても、無線装置に対する保守・監視を行うことができ、無線切断の場合に迅速な対応ができる無線システムを提供することを目的とする。
【課題を解決するための手段】
【００１１】
上記従来例の問題点を解決するための本発明は、無線システムにおいて、異なる無線系で無線通信を行う複数の無線装置と、ネットワークからのデータ通信用の信号又は保守通信用の信号を無線装置側に出力すると共に、無線装置側からの信号をネットワークに出力する冗長制御装置と、冗長制御装置と複数の無線装置との間を中継する中継装置とを有し、冗長制御装置と中継装置とは、各無線装置に対してデータ通信用のインターフェース及び保守通信用のインターフェースで接続され、無線装置が、無線状態を検出して中継装置へのデータ系接続の停止指示又は再開指示を送信し、中継装置が、データ系接続の停止指示を受信すると、データ通信用のインターフェースを用いた通信を停止し、別の無線装置でデータ通信を行い、中継装置が、データ系接続の再開指示を受信すると、停止していたデータ通信用のインターフェースを用いた通信を再開することを特徴とする。
【発明の効果】
【００１２】
本発明によれば、冗長制御装置と中継装置とは、各無線装置に対してデータ通信用のインターフェース及び保守通信用のインターフェースで接続され、無線装置が、無線状態を検出して中継装置へのデータ系接続の停止指示又は再開指示を送信し、中継装置が、データ系接続の停止指示を受信すると、データ通信用のインターフェースを用いた通信を停止し、別の無線装置でデータ通信を行い、中継装置が、データ系接続の再開指示を受信すると、停止していたデータ通信用のインターフェースを用いた通信を再開する無線システムとしているので、無線切断中及び無線再接続後であっても、無線装置に対する保守・監視を行うことができ、無線切断の場合に迅速な対応ができる効果がある。
【発明を実施するための最良の形態】
【００１３】
本発明の実施の形態について図面を参照しながら説明する。
［発明の概要］
本発明の実施の形態に係る無線システムは、複数の無線装置と、中継装置と、冗長制御装置とを有し、冗長制御装置と中継装置とは、各無線装置に対してデータ通信用のインターフェース及び保守通信用のインターフェースで接続され、無線装置が、無線状態を検出して中継装置へのデータ系接続の停止指示又は再開指示を送信し、中継装置が、データ系接続の停止指示を受信すると、データ通信用のインターフェースを用いた通信を停止し、別の無線装置でデータ通信を行い、また、中継装置が、データ系接続の再開指示を受信すると、停止していたデータ通信用のインターフェースを用いた通信を再開するものであり、無線切断中及び無線再接続後であっても、無線装置に対する保守・監視を行うことができ、無線切断の場合に迅速な対応ができる。
【００１４】
［本無線システム：図１］
本発明の実施の形態に係る無線システムについて図１を参照しながら説明する。図１は、本発明の実施の形態に係る無線システムの構成ブロック図である。
本発明の実施の形態に係る無線システム（本無線システム）は、図１に示すように、ネットワーク（１）４１に接続する冗長制御装置（１）３１と、中継装置（１）２１と、無線装置（１Ａ）１１ａと、無線装置（１Ｂ）１１ｂと、ネットワーク（２）４２に接続する冗長制御装置（２）３２と、中継装置（２）２２と、無線装置（２Ａ）１２ａと、無線装置（２Ｂ）１２ｂとを基本的に有している。
尚、本無線システムにおいて、ネットワーク（１）４１，（２）４２には、保守・監視のための保守通信を行う保守機器が接続される。
【００１５】
［各部］
本無線システムの各部について具体的に説明する。
［冗長制御装置（１）３１］
冗長制御装置（１）３１は、ネットワーク（１）４１からのデータ通信用の信号又は保守通信用の信号を入力し、無線Ａを利用する場合には、インターフェース＃１（第１のインターフェース）にデータ通信用の信号を出力し、インターフェース＃２（第２のインターフェース）に保守通信用の信号を出力し、無線Ｂを利用する場合には、インターフェース＃３（第３のインターフェース）にデータ通信用の信号を出力し、インターフェース＃４（第４のインターフェース）に保守通信用の信号を出力する制御を行う。
【００１６】
［中継装置（１）２１］
中継装置（１）２１は、冗長制御装置（１）３１のインターフェース＃１からのデータ通信用の信号に対して無線装置（１Ａ）１１ａへタグ情報＃１（第１のタグ情報）を付与して送信し、インターフェース＃２からの保守通信用の信号に対して無線装置（１Ａ）１１ａへタグ情報＃２（第２のタグ情報）を付与して送信する。
【００１７】
また、中継装置（１）２１は、冗長制御装置（１）３１のインターフェース＃３からのデータ通信用の信号に対して無線装置（１Ｂ）１１ｂへタグ情報＃３（第３のタグ情報）を付与して送信し、インターフェース＃４からの保守通信用の信号に対して無線装置（１Ｂ）１１ｂへタグ情報＃４（第４のタグ情報）を付与して送信する。
【００１８】
［無線装置（１Ａ）１１ａ］
無線装置（１Ａ）１１ａは、中継装置（１）２１からタグ情報＃１が付与されたデータ通信用の信号を無線Ａで無線装置（２Ａ）１２ａに送信し、中継装置（１）２１からタグ情報＃２が付与された保守通信用の信号を無線Ａで無線装置（２Ａ）１２ａに送信する。
【００１９】
そして、無線装置（１Ａ）１１ａは、無線状態を検出し、検出した状態が特定の条件である場合に、中継装置へのデータ系接続の停止指示、又は中継装置へのデータ系接続の再開指示を送信する。
［無線装置（１Ｂ）１１ｂ］
無線装置（１Ｂ）１１ｂは、中継装置（１）２１からタグ情報＃３が付与されたデータ通信用の信号を無線Ｂで無線装置（２Ｂ）１２ｂに送信し、中継装置（１）２１からタグ情報＃４が付与された保守通信用の信号を無線Ｂで無線装置（２Ｂ）１２ｂに送信する。
【００２０】
そして、無線装置（１Ｂ）１１ｂは、無線状態を検出し、検出した状態が特定の条件である場合に、中継装置へのデータ系接続の停止指示、又は中継装置へのデータ系接続の再開指示を送信する。
【００２１】
［冗長制御装置（２）３２］
冗長制御装置（２）３２は、ネットワーク（２）４２からのデータ通信用の信号又は保守通信用の信号を入力し、無線Ａを利用する場合には、インターフェース＃１にデータ通信用の信号を出力し、インターフェース＃２に保守通信用の信号を出力し、無線Ｂを利用する場合には、インターフェース＃３にデータ通信用の信号を出力し、インターフェース＃４に保守通信用の信号を出力する制御を行う。
【００２２】
［中継装置（２）２２］
中継装置（２）２２は、冗長制御装置（２）３２のインターフェース＃１からのデータ通信用の信号に対して無線装置（１Ａ）１１ａへタグ情報＃１（第１のタグ情報）を付与して送信し、インターフェース＃２からの保守通信用の信号に対して無線装置（１Ａ）１１ａへタグ情報＃２（第２のタグ情報）を付与して送信する。
【００２３】
また、中継装置（２）２２は、冗長制御装置（２）３２のインターフェース＃３からのデータ通信用の信号に対して無線装置（２Ｂ）１２ｂへタグ情報＃３（第３のタグ情報）を付与して送信し、インターフェース＃４からの保守通信用の信号に対して無線装置（２Ｂ）１２ｂへタグ情報＃４（第４のタグ情報）を付与して送信する。
【００２４】
［無線装置（２Ａ）１２ａ］
無線装置（２Ａ）１２ａは、中継装置（２）２２からタグ情報＃１が付与されたデータ通信用の信号を無線Ａで無線装置（１Ａ）１１ａに送信し、中継装置（２）２２からタグ情報＃２が付与された保守通信用の信号を無線Ａで無線装置（１Ａ）１１ａに送信する。
【００２５】
そして、無線装置（２Ａ）１２ａは、無線状態を検出し、検出した状態が特定の条件である場合に、中継装置へのデータ系接続の停止指示、又は中継装置へのデータ系接続の再開指示を送信する。
【００２６】
［無線装置（２Ｂ）１２ｂ］
無線装置（２Ｂ）１２ｂは、中継装置（２）２２からタグ情報＃３が付与されたデータ通信用の信号を無線Ｂで無線装置（１Ｂ）１１ｂに送信し、中継装置（２）２２からタグ情報＃４が付与された保守通信用の信号を無線Ｂで無線装置（１Ｂ）１１ｂに送信する。
【００２７】
そして、無線装置（２Ｂ）１２ｂは、無線状態を検出し、検出した状態が特定の条件である場合に、中継装置へのデータ系接続の停止指示、又は中継装置へのデータ系接続の再開指示を送信する。
【００２８】
尚、本無線システムでは、インターフェース＃１とインターフェース＃３とは等価であり、冗長制御装置により、現用系と予備系に割り振られる。便宜的に、インターフェース＃１を現用系とし、インターフェース＃３を予備系とみなすものである。
【００２９】
［無線装置の構成：図２］
次ぎに、無線装置１１ａ，１１ｂ，１２ａ，１２ｂの構成について図２を参照しながら説明する。図２は、無線装置の構成ブロック図である。
無線装置は、図２に示すように、無線送受信手段１１０と、無線状態検出手段１２０と、保守通信制御手段１３０と、有線送受信手段１４０とから構成されている。
【００３０】
無線送受信手段１１０は、アンテナから無線信号を受信し、有線送受信手段１４０に出力し、有線送受信手段１４０から入力された信号をアンテナより送信する。
無線状態検出手段１２０は、無線送受信手段１１０から保守用通信の信号を入力し、無線状態の検出を行い、検出内容を保守通信制御手段１３０に出力する。検出項目と検出内容については、図３を用いて後述する。
【００３１】
保守通信制御手段１３０は、無線状態検出手段１２０での検出内容に従って指示信号を有線送受信手段１４０の送信する。その際に、指示信号にはタグ情報＃２（第２のタグ情報）を付与して送信する。
【００３２】
有線送受信手段１４０は、無線送受信手段１１０から出力された信号を受信して中継装置に送信し、中継装置からの信号を受信して無線送受信手段１１０に送信する。
また、有線送受信手段１４０は、保守通信制御手段１３０からの指示信号を受信し、中継装置に送信する。
【００３３】
［無線装置の動作：図３］
無線装置において、無線送受信手段１１０からの入力に対して、無線状態検出手段１２０が中継装置２１，２２へのデータ系接続の停止・再開の指示タイミングを検出する。
そして、無線状態検出手段１２０での検出内容に従って保守通信制御手段１３０が中継装置２１，２２に対してデータ系接続の停止・再開の指示信号を送信し、中継装置２１，２２でデータ系接続の停止・再開を行う。
【００３４】
無線状態検出手段１２０における検出項目の例を、図３に示す。図３は、検出項目の例を示す図である。
検出項目は、図３に示すように、検出内容として、中継装置へのデータ系接続の停止指示（停止指示）と中継装置へのデータ系接続の再開指示（再開指示）のタイミングが示されている。
具体的には、項番１として、検出項目「無線切断／再接続」に対して停止指示タイミングが「切断時に指示」で、再開指示タイミングが「接続時に指示」である。
【００３５】
項番２として、検出項目「無線受信レベル」に対して停止指示タイミングが「感度点を下回った時に指示」で、再開指示タイミングが「感度点＋ヒステリシス以上になった時に指示」である。
項番３として、検出項目「無線信号品質」に対して停止指示タイミングが「感度点を下回った時に指示」で、再開指示タイミングが「感度点＋ヒステリシス以上になった時に指示」である。
【００３６】
項番４として、検出項目「無線ビット・エラー・レート（ＢＥＲ）」に対して停止指示タイミングが「１０-3を上回った時に指示」で、再開指示タイミングが「１０-4以下になった時に指示」である。
項番５として、検出項目「無線変調方式（適応変調の場合）」に対して停止指示タイミングが「ＱＰＳＫ（Quadrature Phase Shift Keying）以下になった時に指示」で、再開指示タイミングが「１６ＱＡＭ（Quadrature Amplitude Modulation）以上になった時に指示」である。
【００３７】
［無線システムの動作：図４］
本無線システムにおける動作について図４を参照しながら具体的に説明する。図４は、本無線システムにおける中継装置の処理を示す概略図である。
例えば、中継装置（１）２１では、冗長制御装置（１）３１と無線装置（１Ａ）１１ａとの間でインターフェース＃１でのデータ通信を無線装置（１Ａ）１１ａへタグ情報＃１を付与して送り出し、インターフェース＃２での保守通信を無線装置（１Ａ）１１ａのタグ情報＃２を付与して送り出す。
【００３８】
中継装置（１）２１において、無線装置（１Ａ）１１ａからの受信は、タグ情報に従って、冗長制御装置（１）３１のインターフェース＃１又はインターフェース＃２に送る。
タグ情報は、中継装置（１）２１、（２）２２には同一のものを使用する。同様に、インターフェース＃３，＃４の通信は、タグ情報＃３，＃４を付与して、無線装置（１Ｂ）１１ｂに送り、無線装置（１Ｂ）１１ｂからの受信は、冗長制御装置（１）３１のインターフェース＃３，＃４に送る。
【００３９】
また、中継装置（１）２１は、無線装置（１Ａ）１１ａからインターフェース＃１の停止／再開指示を受けると、インターフェース＃１の動作停止／再開を行う。
図４では、タグ情報＃２を付与して、無線装置（１Ａ）１１ａから中継装置（１）２１に停止／再開を指示しているが、中継装置と無線装置との通信が行えればよく、他のタグ情報であってもよいし、あるいはタグ情報がなくてもよい。
【００４０】
中継装置（１）２１は、インターフェース＃１，＃２及び無線装置（１Ａ）１１ａへのインターフェースの機器と、インターフェース＃３，＃４及び無線装置（１Ｂ）１１ｂへのインターフェースの機器との、２つの機器に分割されてもよい。
【００４１】
［無線Ａ切断時］
無線装置（１Ａ）１１ａ，（１Ｂ）１１ｂにおける図２に示した無線状態検出手段１２０で、図３に示す項番１により無線切断を検出し、保守通信制御手段１３０で中継装置（１）２１，（２）２２のインターフェース＃１（データ通信）の動作停止を中継装置（１）２１，（２）２２へ指示する。中継装置（１）２１，（２）２２は、インターフェース＃１の動作を停止する。
【００４２】
冗長制御装置（１）３１，（２）３２は、インターフェース＃１の動作停止を検出し、データ通信を無線Ｂに流す制御を行い、インターフェース＃３から送信する。中継装置（１）２１は、これを無線装置（１Ｂ）１１ｂ，（２Ｂ）１２ｂにタグ情報を付与して送り、無線Ｂに切り替わる。
【００４３】
一方、中継装置（１）２１，（２）２２のインターフェース＃２（保守通信）は、動作状態のまま変えず、これにより、冗長制御装置（１）３１，（２）３２は、保守通信に関して経路やタグ情報の変更を行わず、それぞれのネットワーク側から無線装置（１Ａ）１１ａ，（２Ａ）１２ａに対して保守通信を行うことができる。
【００４４】
［無線Ａ再接続時］
無線装置（１Ａ）１１ａ，（２Ａ）１２ａにおける図２に示した無線状態検出手段１２０で、図３に示す項番１により無線再接続を検出し、保守通信制御手段１３０で中継装置（１）２１，（２）２２のインターフェース＃１（データ通信）の動作再開を指示する。中継装置（１）２１，（２）２２はインターフェース＃１の動作を再開する。
【００４５】
冗長制御装置（１）３１，（２）３２は、インターフェース＃１の動作再開を検出し、データ通信を無線Ａに流す制御を行う。
また、保守通信については、中継装置（１）２１，（２）２２のインターフェース＃２（保守通信）の状態が変わらないので、引き続き行うことができる。
【００４６】
［３拠点の場合：図５］
３拠点の場合を図５に示す。図５は、３拠点を例とする無線システムの構成ブロック図である。
３拠点の場合も、２拠点と同様であり、無線Ａの切断／接続検出により中継装置（１）２１，（２）２２のインターフェース＃１を停止／再開し、無線Ｂの切断／接続検出により中継装置（１）２１，（３）２３のインターフェース＃３を停止／再開し、無線Ｃの切断／接続検出により中継装置（２）２２，（３）２３のインターフェース＃５を停止／再開する。
【００４７】
［実施の形態の効果］
本無線システムによれば、無線通信状態の悪化を検出した場合、無線装置が中継装置に冗長制御装置とのデータ系接続の停止を指示し、別の無線装置でデータ通信を行うようにしているので、無線切断によりデータ通信の制御を切り替えても無線装置の保守・監視を行うことができる効果がある。
【００４８】
本無線システムによれば、無線通信状態の復帰を検出した場合、無線装置が中継装置に冗長制御装置とのデータ系接続の再開を指示し、当該無線装置でデータ通信を再開するようにしているので、無線再接続後も無線装置の保守・監視を行うことができる効果がある。
【産業上の利用可能性】
【００４９】
本発明は、無線切断中であっても、無線装置に対する保守・監視を行うことができ、無線切断の場合に迅速な対応ができる無線システムに好適である。
【図面の簡単な説明】
【００５０】
【図１】本発明の実施の形態に係る無線システムの構成ブロック図である。
【図２】無線装置の構成ブロック図である。
【図３】検出項目の例を示す図である。
【図４】本無線システムにおける中継装置の処理を示す概略図である。
【図５】３拠点を例とする無線システムの構成ブロック図である。
【図６】従来の無線システムの概略図である。
【符号の説明】
【００５１】
１１，１２，１３…無線装置、  ２１，２２，２３…中継装置、  ３１，３２，３３…冗長制御装置、  ４１，４２，４３…ネットワーク、  １１０…無線送受信手段、  １２０…無線状態検出手段、  １３０…保守通信制御手段、  １４０…有線送受信手段
【図１】
2010016777.tif 000003
【図２】
2010016777.tif 000004
【図３】
2010016777.tif 000005
【図４】
2010016777.tif 000006
【図５】
2010016777.tif 000007
【図６】
2010016777.tif 000008